(57)【要約】【課題】  連続撮影時の動作の効率化を行い連続撮影時の駒速を向上させる。【解決手段】  連続撮影が可能な撮像装置であって、撮像素子と、メカニカルシャッタと、前記撮像素子の撮像開始のために前記メカニカルシャッタを用いるか電子シャッタを用いるかを選択する選択手段と、前記撮像素子から出力される信号に基づいてフリッカー検知を行う検知手段と、を有し、前記選択手段は、連続撮影の２駒目以降の撮像において、前記検知手段の検知結果に応じて前記メカニカルシャッタを用いるか前記電子シャッタを用いるかを選択する。【選択図】  図４
2017216636.tif 000002
【特許請求の範囲】
【請求項１】
連続撮影が可能な撮像装置であって、
撮像素子と、
メカニカルシャッタと、
前記撮像素子の撮像開始のために前記メカニカルシャッタを用いるか電子シャッタを用いるかを選択する選択手段と、
前記撮像素子から出力される信号に基づいてフリッカー検知を行う検知手段と、を有し、
前記選択手段は、連続撮影の２駒目以降の撮像において、前記検知手段の検知結果に応じて前記メカニカルシャッタを用いるか前記電子シャッタを用いるかを選択することを特徴とする撮像装置。
【請求項２】
前記選択手段は、連続撮影の２駒目の撮像において、当該連続撮影の１駒目の撮像の前に得られた前記検知手段の検知結果に応じて前記メカニカルシャッタを用いるか前記電子シャッタを用いるかを選択することを特徴とする請求項１に記載の撮像装置。
【請求項３】
前記選択手段は、前記検知手段がフリッカーを検知していない場合は前記メカニカルシャッタを選択することを特徴とする請求項１または２に記載の撮像装置。
【請求項４】
前記選択手段は、前記検知手段がフリッカーを検知した場合は前記電子シャッタを選択することを特徴とする請求項１乃至３のいずれか１項に記載の撮像装置。
【請求項５】
前記検知手段は、連続撮影のＮ駒目の撮像の前にフリッカーを検知した場合は、当該連続撮影のＮ駒目の撮像とＮ＋１駒目の撮像の間にフリッカー検知を行うことを特徴とする請求項１乃至４のいずれか１項に記載の撮像装置。
【請求項６】
前記メカニカルシャッタ及び前記電子シャッタを制御する制御手段を有し、
前記制御手段は、前記検知手段がフリッカーを検知した場合、前記検知手段の検知結果に基づいて前記撮像素子の撮像タイミングを制御することを特徴とする請求項１乃至５のいずれか１項に記載の撮像装置。
【請求項７】
前記制御手段は、連続撮影のＮ駒目の撮像とＮ＋１駒目の撮像の間にフリッカー検知を行う場合、前記Ｎ駒目の撮像の後に前記メカニカルシャッタをチャージしてから前記メカニカルシャッタを走行させて前記撮像素子を露光状態にし、前記検知手段のフリッカー検知に用いる信号が前記撮像素子から出力された後に前記電子シャッタを用いて前記Ｎ＋１駒目の撮像を開始させることを特徴とする請求項６に記載の撮像装置。
【請求項８】
前記制御手段は、連続撮影のＮ駒目の撮像とＮ＋１駒目の撮像の間にフリッカー検知を行わない場合、前記Ｎ駒目の撮像とＮ＋１駒目の撮像の間に前記撮像素子を露光状態にしないことを特徴とする請求項６または７に記載の撮像装置。
【請求項９】
撮像素子と、メカニカルシャッタと、を有する連続撮影が可能な撮像装置の制御方法であって、
前記撮像素子から出力される信号に基づいてフリッカー検知を行う検知ステップと、
連続撮影の２駒目以降の撮像において、前記検知ステップの検知結果に応じて前記撮像素子の撮像開始のために前記メカニカルシャッタを用いるか前記電子シャッタを用いるかを選択する選択ステップと、を有することを特徴とする撮像装置の制御方法。
【発明の詳細な説明】
【技術分野】
【０００１】
本発明は、撮像装置による連続撮影時の制御に関する。
【背景技術】
【０００２】
近年、デジタルカメラや携帯電話などの撮像装置の高感度化が進んでいる。そのため、室内のような比較的暗い環境下においても、シャッタースピードを高速にした（露光時間を短くした）撮影により、ブレを抑えた明るい画像を取得することが可能になってきている。
【０００３】
また、室内光源として普及している蛍光灯は商用電源周波数の影響により、周期的に照明光がゆらぐ現象であるフリッカーが生じる。このようなフリッカーが生じる光源（以下、フリッカー光源とする）下でシャッタースピードを高速にした撮影を行うと、１つの画像内で露出ムラや色ムラが発生したり、連続して撮影した複数の画像間で露出や色温度のばらつきが発生したりする場合がある。
【０００４】
このような問題に対して、特許文献１では、フリッカーの光量変化の中で光量が最大となるタイミングと略一致するように撮像を行うタイミングを調節する技術が提案されている。
【先行技術文献】
【特許文献】
【０００５】
【特許文献１】特開２０１４−２２０７６３号公報
【発明の概要】
【発明が解決しようとする課題】
【０００６】
特許文献１では、連続撮影を行う前にフリッカーが検出されない場合は、撮像の合間にフリッカーの光量変化の中で光量が最大となるタイミングを算出しないことで、連続撮影時の動作の効率化を行っている。
【０００７】
しかしながら、特許文献１では、フリッカーの検出に関わる動作を省略して動作の効率化を行っているだけで、連続撮影時の駒速を向上させるためには更なる動作の効率化が望まれる。
【０００８】
そこで、本発明は、連続撮影時の動作の効率化を行い連続撮影時の駒速を向上させることを目的とする。
【課題を解決するための手段】
【０００９】
上記目的を達成するために、本発明は、連続撮影が可能な撮像装置であって、撮像素子と、メカニカルシャッタと、前記撮像素子の撮像開始のために前記メカニカルシャッタを用いるか電子シャッタを用いるかを選択する選択手段と、前記撮像素子から出力される信号に基づいてフリッカー検知を行う検知手段と、を有し、前記選択手段は、連続撮影の２駒目以降の撮像において、前記検知手段の検知結果に応じて前記メカニカルシャッタを用いるか前記電子シャッタを用いるかを選択することを特徴とする。
【発明の効果】
【００１０】
本発明によれば、連続撮影時の動作の効率化を行い連続撮影時の駒速を向上させることができる。
【図面の簡単な説明】
【００１１】
【図１】本発明に係る第１の実施形態の撮像装置のブロック図である。
【図２】本発明に係る第１の実施形態の連続撮影の前にフリッカーが検知されている場合の連続撮影時の動作を示す図である。
【図３】本発明に係る第１の実施形態の連続撮影の前にフリッカーが検知されていない場合の連続撮影時の動作を示す図である。
【図４】本発明に係る第１の実施形態のライブビュー画像を表示させている状態で連続撮影を開始した場合の動作を示す図である。
【図５】本発明に係る第２の実施形態の連続撮影の前にフリッカーが検知されている場合の連続撮影時の動作を示す図である。
【図６】本発明に係る第２の実施形態のライブビュー画像を表示させている状態で連続撮影を開始した場合の動作を示す図である。
【図７】本発明に係る第３の実施形態の連続撮影の前にフリッカーが検知されている場合の連続撮影時の動作を示す図である。
【図８】本発明に係る第３の実施形態の連続撮影の前にフリッカーが検知されている場合の連続撮影時の動作を示す図である。
【図９】本発明に係る第３の実施形態のライブビュー画像を表示させている状態で連続撮影を開始した場合の動作を示す図である。
【発明を実施するための形態】
【００１２】
（第１の実施形態）
以下に、本発明の好ましい実施の形態を、添付の図面に基づいて詳細に説明する。図１は、本発明に係る実施形態の撮像装置である一眼レフデジタルカメラの構成を示すブロック図である。
【００１３】
図１において、１０１は、カメラ本体に着脱可能な撮影レンズである。１０２は、撮影レンズに含まれるフォーカスレンズの駆動制御を行うＡＦ（オートフォーカス）駆動部である。ＡＦ駆動部１０２は、例えばＤＣモータやステッピングモータによって構成され、マイクロコンピュータ１２３の制御によって撮影レンズ１０１のフォーカスレンズ位置を変化させてピント合わせを行う。
【００１４】
１０３は、撮影レンズ１０１に含まれるズームレンズの駆動制御を行うズーム駆動部である。ズーム駆動部１０３は、例えばＤＣモータやステッピングモータによって構成され、マイクロコンピュータ１２３の制御によって撮影レンズ１０１のズームレンズ位置を変化させて撮影レンズ１０１の焦点距離を変化させる。
【００１５】
１０４は、カメラ本体に入射する光量を調整する絞りである。１０５は、絞り１０４の駆動制御を行う絞り駆動部である。絞り１０４の駆動量はマイクロコンピュータ１２３によって算出され、絞り駆動部１０５によって絞り１０４の開口径を変化させて光学的な絞り値を変化させる。
【００１６】
１０６は、撮影レンズ１０１から入射した光束を導く方向をファインダ側と撮像素子側とに切替えるための主ミラーである。主ミラー１０６は、通常時はファインダ側へと光束を導くように光束を反射させる位置（第１の位置）に配されている。一方、撮影が行われる場合には、撮像素子１１２へと光束を導くように上方に跳ね上がり光束を反射しない位置（第２の位置）に待避する。また、主ミラー１０６はその中央部が入射光の一部を透過できるようにハーフミラーとなっており、光束の一部を焦点検出を行うためのセンサに入射するように透過させる。
【００１７】
１０７は、主ミラー１０６から透過してきた光束を反射させ焦点検出を行うためのセンサ（焦点検出回路１０９内に配置されている）に導くためのサブミラーである。
【００１８】
１０８は、ファインダ光学系で、ペンタプリズム部、ピント板、アイピースレンズ、ファインダ窓などによって構成させる。また、ファインダ光学系には、ファインダ側に導かれた光束の一部を受光し、被写体の測光値を得るＣＣＤやＣＭＯＳを用いた測光センサがある。
【００１９】
１０９は焦点検出回路であり、主ミラー１０６の中央部を透過し、サブミラー１０７で反射された光束は、焦点検出回路１０９の内部に配置された光電変換を行うためのセンサに到達する。フォーカス演算に用いるデフォーカス量は、センサの出力を演算することによって求められる。マイクロコンピュータ１２３は、演算結果を評価してＡＦ駆動部１０２に指示し、フォーカスレンズを駆動させる。
【００２０】
１１０は先幕と後幕を有するフォーカルプレーンシャッタ（メカニカルシャッタ）であり、所定の方向に走行することで撮像素子１１２を遮光する位置と露光させる位置とに移動可能である。１１１はシャッタ駆動回路であり、フォーカルプレーンシャッタ１１０を駆動する。フォーカルプレーンシャッタの開口時間（撮像素子１１２を露光させる時間）はマイクロコンピュータ１２３によって制御される。
【００２１】
１１２は、ＣＣＤやＣＭＯＳセンサなどの撮像素子であり、撮影レンズ１０１によって結像された被写体像を電気信号に変換する。１１３はクランプ回路、１１４はＡＧＣ回路である。クランプ回路１１３やＡＧＣ回路１１４は、Ａ／Ｄ変換をする前の基本的なアナログ信号処理を行い、マイクロコンピュータ１２３により、クランプレベルやＡＧＣ基準レベルの変更が行われる。１１５はＡ／Ｄ変換器であり、撮像素子１１２のアナログ出力信号をデジタル信号（画像データ）に変換する。１１６は映像信号処理回路であり、ゲートアレイなどのロジックデバイスにより実現され、Ａ／Ｄ変換器により変換されたデジタル信号に、例えば、フィルター処理、色変換処理、ガンマ処理などの各種の信号処理を行う。
【００２２】
１１７は、ＥＶＦ（電子ビューファインダ）モニタ１１８の駆動制御を行うＥＶＦ駆動回路である。
【００２３】
１１９は、メモリコントローラである。１２０は、メモリである。１２１はコンピュータ等と接続可能な外部インタフェースである。１２２、はバッファメモリである。
【００２４】
映像信号処理回路１１６は、撮像素子１１２からの信号や、メモリコントローラ１１９から逆に入力される画像データを、ＥＶＦ駆動回路１１７を通してＥＶＦモニタ１１８に出力することも可能である。これらの機能切り替えはマイクロコンピュータ１２３の指示により行われる。また、映像信号処理回路１１６は、必要に応じて撮像素子１１２の信号の露出情報やホワイトバランスなどの情報をマイクロコンピュータ１２３に出力することが可能である。それらの情報を基に、マイクロコンピュータ１２３はホワイトバランスやゲイン調整の指示を行う。連続撮影動作の場合においては、一旦、未処理のままバッファメモリ１２２に画像データを格納し、メモリコントローラ１１９を通して未処理の画像データを読み出し、映像信号処理回路１１６にて画像処理や圧縮処理を行い連続撮影を行う。
【００２５】
メモリコントローラ１１９では、映像信号処理回路１１６から入力された未処理の画像データをバッファメモリに格納し、処理済みの画像データをメモリ１２０に格納する。また、逆にバッファメモリ１２２やメモリ１２０から画像データを映像信号処理回路１１６に出力する。メモリ１２０は取り外し可能である場合もある。メモリコントローラ１１９は、コンピュータ等と接続可能な外部インターフェース１２１を介してメモリ１２０に記憶されている画像を出力可能である。
【００２６】
１２３はマイクロコンピュータであり、例えば内部にＡＬＵ、ＲＯＭ、ＲＡＭやＡ／Ｄコンバータ、タイマー、シリアル通信ポート（ＳＰＩ）等を内蔵ししていて、カメラの全体制御を行う。また、マイクロコンピュータ１２３は、測光センサから出力される信号や撮像素子１１２から出力される信号に基づいて、被写体の光量変化特性を算出することができる。光量変化特性を算出方法は、例えば、特開２０１６−０１５６１５号公報に記載されているような、連続して出力される信号を比較して算出する方法や、出力される信号に対応する画像における輝度ムラの位置の画像間の変化を用いて算出する方法などでよい。以下では、被写体の光量変化特性の算出を、フリッカー検知と呼ぶものとする。
【００２７】
また、マイクロコンピュータ１２３は、撮像素子１１２の各ラインのリセット制御を行うことで、いわゆる、電子シャッタ機能を実現することができる。以下では、撮像素子１１２の蓄積開始タイミング制御をフォーカルプレーンシャッタ１１０を走行させて行うことをメカ先幕制御と呼び物とする。また、撮像素子１１２の蓄積開始タイミング制御を撮像素子１１２の各ラインのリセット制御をして行うことを電子先幕制御と呼ぶものとする。撮像素子１１２の各ラインのリセット制御方法や撮像素子１１２の詳細な構造は、特開２０１６−０１５６１５号公報に記載されているような公知技術を用いればよいため詳細な説明は省略する。
【００２８】
１２４は操作部材であり、マイクロコンピュータ１２３にその状態を伝え、マイクロコンピュータ１２３は操作部材１２４の変化に応じて各部を制御する。１２５はスイッチ１（以後ＳＷ１）、１２６はスイッチ２（以後ＳＷ２）である。スイッチＳＷ１とスイッチＳＷ２は、レリーズボタンの操作でオンオフするスイッチであり、それぞれ操作部材１２４の入力スイッチのうちの１つである。スイッチＳＷ１のみオンの状態はレリーズボタン半押し状態であり、この状態でオートフォーカスの動作を行ったり、測光動作を行う。スイッチＳＷ１、ＳＷ２が共にオンの状態はレリーズボタンの全押し状態であり、画像を記録するためのレリーズボタンがオン状態である。この状態で撮像が行われる。またスイッチＳＷ１、ＳＷ２がＯＮし続けている間は連続撮影が行われる。
【００２９】
操作部材１２４には、他に、ＩＳＯ設定ボタン、画像サイズ設定ボタン、画質設定ボタン、情報表示ボタン、ＥＶＦモニタ１１８にライブビュー画像を表示させるためのＬＶ開始ボタンなどがある。ＬＶ開始ボタンがユーザーに操作されると、マイクロコンピュータ１２３は、主ミラー１０６とフォーカルプレーンシャッタ１１０を駆動させ撮像素子１１２へと光束が入射する状態にする。そして、撮像素子１１２で得られた画像はＥＶＦモニタ１１８にて逐次視認でき、ユーザーはその画像によって構図やピントの確認をすることができる。
【００３０】
１２７は液晶駆動回路であり、１２８は外部液晶表示部材、１２９はファインダ内液晶表示部材である。液晶駆動回路１２７は、マイクロコンピュータ１２３の表示内容命令に従って、外部液晶表示部材１２８やファインダ内液晶表示部材１２９を駆動する。また、ファインダ内液晶表示部材１２９には、不図示のＬＥＤなどのバックライトが配置されており、そのＬＥＤも液晶駆動回路１２７で駆動される。マイクロコンピュータ１２３は、設定されているＩＳＯ感度、画像サイズ、画質に応じた画像サイズの予測値データと、メモリコントローラ１１９を通して確認したメモリの容量とに基づいて撮影可能残数を演算することができる。撮影可能残数は、必要に応じて外部液晶表示部材１２８、ファインダ内液晶表示部材１２９にも表示することができる。
【００３１】
１３０は不揮発性メモリ（ＥＥＰＲＯＭ）であり、カメラに電源が入れられていない状態でも、データを保存することができる。１３１は電源部であり、各ＩＣや駆動系に必要な電源を供給する。
【００３２】
次に、ＥＶＦモニタ１１８にライブビュー画像を表示させている状態で連続撮影を開始した場合の動作について、図２〜４を用いて説明する。図２は、連続撮影の前にフリッカーが検知されている場合の連続撮影時の動作を示す図であり、図３は、連続撮影の前にフリッカーが検知されていない場合の連続撮影時の動作を示す図である。図４は、ライブビュー画像を表示させている状態で連続撮影を開始した場合の動作を示す図である。
【００３３】
ＬＶ開始ボタンが操作されると、ステップＳ４０１でマイクロコンピュータ１２３は、撮像素子１１２から出力される信号に基づいてフリッカー検知を行い、検知結果をマイクロコンピュータ１２３内のＲＡＭに保持する。フリッカー検知の方法は前述したように特に限定されないが、主ミラー１０６とフォーカルプレーンシャッタ１１０を駆動させ撮像素子１１２へと光束が入射する状態となっているため、撮像素子１１２から出力される信号を用いる。ただし、フリッカー検知に用いる信号に対応する画像はライブビュー画像には不適切であるため、撮像素子１１２からライブビュー画像に対応する信号とは別にフリッカー検知に用いる信号を出力させる必要がある。そこで、ライブビュー画像に対応する信号を出力させる前にフリッカー検知に用いる信号を出力させるようにしてもよいし、ライブビュー画像に対応する信号とフリッカー検知に用いる信号とを所定の順序で出力させるようにしてもよい。
【００３４】
ステップＳ４０２でマイクロコンピュータ１２３は、レリーズボタンがオン状態か否かを判定する。レリーズボタンがオン状態であればステップＳ４０３へ移行し、レリーズボタンがオン状態でなければステップＳ４０１へ移行する。なお、ステップＳ４０１へ移行するたびにフリッカー検知を行う必要なく、前述したように所定のタイミングだけフリッカー検知を行えばよい。
【００３５】
ステップＳ４０３でマイクロコンピュータ１２３は、電子先幕制御で撮像を行う。電子先幕制御で撮像を行う場合、撮像素子１１２の蓄積時間は撮像素子１１２のリセット制御が行われてからフォーカルプレーンシャッタ１１０の後幕で撮像素子１１２が遮光されるまでとなる。ステップＳ５０１でマイクロコンピュータ１２３内のＲＡＭに保持されている検知結果に基づいて、被写体に光量変化が生じている（フリッカーが生じている）場合は、被写体の光量変化がもっとも少ないタイミングに合わせて撮像を行う。被写体の光量変化がもっとも少ないタイミングに合わせて撮像を行うことで、１つの画像内で露出ムラや色ムラが発生することを抑えることができる。一方、フリッカーが生じていない場合は、極力レリーズタイムラグが生じないように撮像を行う。
【００３６】
撮像を行った後、次の撮像に備え、ステップＳ４０４でマイクロコンピュータ１２３は、フォーカルプレーンシャッタ１１０をチャージする。チャージされることで、フォーカルプレーンシャッタ１１０の先幕は撮像素子１１２を遮光する状態となり、後幕は光路から退避した状態となる。
【００３７】
ステップＳ４０５でマイクロコンピュータ１２３は、レリーズボタンがオン状態か否かを判定する。ここでレリーズボタンがオン状態であれば連続撮影だと判断してステップＳ４０７へ移行し、レリーズボタンがオン状態でなければステップＳ４０６へ移行する。
【００３８】
ステップＳ４０６でマイクロコンピュータ１２３は、ＥＶＦモニタ１１８にライブビュー画像を表示させるため、フォーカルプレーンシャッタ１１０の先幕を走行させ撮像素子１１２へと光束が入射する状態にする。
【００３９】
ステップＳ４０７でマイクロコンピュータ１２３は、マイクロコンピュータ１２３内のＲＡＭに保持されている検知結果に基づいて、被写体に光量変化が生じている（フリッカーが生じている）か否かを判定する。
【００４０】
フリッカーが生じている場合にはステップＳ４０８へ移行し、フリッカーが生じていない場合にはステップＳ４１１へ移行する。
【００４１】
ステップＳ４０８でマイクロコンピュータ１２３は、フリッカー検知用の信号を撮像素子１１２から出力させるため、フォーカルプレーンシャッタ１１０の先幕を走行させ撮像素子１１２へと光束が入射する状態にする。
【００４２】
ステップＳ４０９でマイクロコンピュータ１２３は、撮像素子１１２から出力される信号に基づいてフリッカー検知を行い、検知結果をマイクロコンピュータ１２３内のＲＡＭに保持する。ここでフリッカー検知を行うのは、被写体の光量変化がもっとも少ないタイミングに合わせて撮像を行うことができるように、被写体の光量変化特性を最新の情報に更新するためである。
【００４３】
フリッカー検知が行われた後、ステップＳ４１０でマイクロコンピュータ１２３は、フリッカーの検知結果に基づいて撮像タイミングを調整し電子先幕制御で撮像を行う。その後、ステップＳ４０４へ移行する。
【００４４】
ステップＳ４０７でフリッカーが生じていないと判定された場合、ステップＳ４１１でマイクロコンピュータ１２３は、メカ先幕制御で撮像を行う。その後、ステップＳ４０４へ移行する。
【００４５】
以上のように、連続撮影の２駒目以降は、フリッカーが生じているか否かに応じて電子先幕制御で撮像を行うかメカ先幕制御で撮像を行うかを選択している。
【００４６】
フリッカーが生じている場合、撮像素子１１２からフリッカー検知用の信号を出力させるために撮像前にフォーカルプレーンシャッタ１１０の先幕を走行させる。そして、フリッカー検知が行われた後に撮像を行うときには、再びの先幕をチャージせずに電子先幕制御を行うことで、先幕をチャージするための時間を省略しレリーズタイムラグを抑制することができる。
【００４７】
一方、フリッカーが生じていない場合、撮像素子１１２からフリッカー検知用の信号を出力させる必要がないため、メカ先幕制御で撮像を行う。フリッカーが生じていない場合にも電子先幕制御を行うと、電子先幕制御を行うために要する時間だけレリーズタイムラグが長くなる。そこで、フリッカーが生じていない場合は、メカ先幕制御で撮像を行うことで、レリーズタイムラグを抑制することができる。
【００４８】
ここで、フリッカーが生じている場合の連続撮影時の動作について図２を用いて説明する。図２は連続撮影時の撮像素子１１２の状態を示していて、斜線部分は撮像素子１１２の電荷蓄積期間を示しており、色付き部分は撮像素子１１２が遮光されている状態を示している。
【００４９】
図２において、１駒目は電子先幕制御で撮像を行う。このときフォーカルプレーンシャッタ１１０の後幕も走行して、撮像後には後幕により撮像素子１１２が遮光された状態となる。その後、次の撮像に備えフォーカルプレーンシャッタ１１０の先幕と後幕がチャージされるが、先幕と後幕のチャージ中及びチャージ後は撮像素子１１２が遮光された状態が維持される。
【００５０】
次に、撮像素子１１２からフリッカー検知用の信号を出力させるために撮像前に先幕を走行させる。ここでは後幕は走行しないので、撮像素子１１２は露光状態となる。この露光状態では、撮像素子１１２で光電変換が行われ電荷が蓄積されていく。そこで、撮像素子１１２のリセット制御（電子先幕制御）を行うことで電荷蓄積を開始させ、所定時間後に蓄積された電荷を転送し電荷蓄積を終了させる。なお、図２では、フリッカー検知用の信号を出力させるための蓄積を１回だけ行っているように記載しているが、フリッカー検知用の信号を出力させるための蓄積はフリッカー検知に必要な回数だけ行えばよい。
【００５１】
フリッカー検知用の信号を出力させるための蓄積が終了したとき、撮像素子１１２は露光状態のままである。そこで、２駒目の撮像では、フォーカルプレーンシャッタ１１０の先幕をチャージせずにそのまま電子先幕制御で撮像を行う。ここで、マイクロコンピュータ１２３は、１駒目と２駒目の間に撮像素子１１２から出力されたフリッカー検知用の信号を用いて算出された最新の光量変化特性に基づいて、撮像タイミングを制御する。
【００５２】
以上が、フリッカーが生じている場合の連続撮影時の動作である。
【００５３】
続いて、フリッカーが生じていない場合の連続撮影時の動作について図３を用いて説明する。図３においても、斜線部分は撮像素子１１２の電荷蓄積期間を示しており、色付き部分は撮像素子１１２が遮光されている状態を示している。
【００５４】
図３でも、１駒目は電子先幕制御で撮像を行う。このときフォーカルプレーンシャッタ１１０の後幕も走行して、撮像後には後幕により撮像素子１１２が遮光された状態となる。その後、次の撮像に備えフォーカルプレーンシャッタ１１０の先幕と後幕がチャージされるが、先幕と後幕のチャージ中及びチャージ後は撮像素子１１２が遮光された状態が維持される。ここまでの動作は図２で示したフリッカーが生じている場合と同様である。
【００５５】
フリッカーが生じない場合、フリッカー検知用の信号を出力させるための蓄積が不要であるため、２駒目の撮像を開始するまで撮像素子１１２が遮光された状態が維持される。そして、２駒目はメカ先幕制御で撮像を行うため、撮像素子１１２の蓄積時間の相当する期間だけ撮像素子１１２が露光状態となる。
【００５６】
なお、図２及び図３を用いて１駒目と２駒目の動作のみを説明してるが、Ｎ駒目（Ｎは自然数）とＮ＋１駒目の動作も同様である。
【００５７】
以上のように、本実施形態では、連続撮影の２駒目以降において、フリッカーが生じているか否かに応じて撮像開始のために電子先幕制御を行うかメカ先幕制御を行うかを選択する。そのため、連続撮影時の動作の効率化を行い連続撮影時の駒速を向上させることができる。
【００５８】
（第２の実施形態）
第１の実施形態では、フリッカー検知の結果からフリッカーが生じると判定された場合、各駒の前にフリッカー検知を行うようにしている。本実施形態では、第１の実施形態よりもさらに連続撮影時の動作の効率化を行い連続撮影時の駒速を向上させる実施形態を説明する。なお、本実施形態における撮像装置は第１の実施形態と同様であるため詳細な説明は省略する。
【００５９】
本実施形態における、ＥＶＦモニタ１１８にライブビュー画像を表示させている状態で連続撮影を開始した場合の動作について、図５、６を用いて説明する。図５は、連続撮影の前にフリッカーが検知されている場合の連続撮影時の動作を示す図であり、図６は、ライブビュー画像を表示させている状態で連続撮影を開始した場合の動作を示す図である。
【００６０】
図６に示すフローチャートにおいて図４と同様のステップは同じ番号を付しており、図６のフローチャートは図４のフローチャートと比較してステップＳ４０９の後にステップＳ６０１とステップＳ６０２が存在する。
【００６１】
レリーズボタンが連続してオン状態となっていてフリッカーが生じている場合、次の撮像の前に、ステップＳ４０９でマイクロコンピュータ１２３はフリッカー検知を行う。
【００６２】
そして、ステップＳ６０１でマイクロコンピュータ１２３は、前回フリッカー検知を行ってからの経過時間が所定時間を超えているか否かを判定する。経過時間が所定時間を超えていればステップＳ６０２へ移行し、超えていなければステップ４１０へ移行する。
【００６３】
ステップＳ６０２でマイクロコンピュータ１２３は、今回のフリッカー検知の検知結果が得られるまで撮像を待機し、ステップＳ４１０でマイクロコンピュータ１２３は、今回のフリッカー検知の検知結果に基づいて撮像タイミングを調整する。
【００６４】
一方、経過時間が所定時間を超えていれば今回のフリッカー検知の検知結果が得られるまで待機することなく、前回のフリッカー検知の検知結果に基づいて撮像タイミングを調整する。
【００６５】
ここで、フリッカーが生じている場合の連続撮影時の動作について図５を用いて説明する。図５は連続撮影時の撮像素子１１２の状態を示していて、斜線部分は撮像素子１１２の電荷蓄積期間を示しており、色付き部分は撮像素子１１２が遮光されている状態を示している。図５は、図２と比較してフリッカー検知用の信号を得るための蓄積を行ってから２駒目の電子先幕制御を開始するまでの期間が短い。これは、前回のフリッカー検知を行ってからの経過時間が所定時間を超えていなければ、前回のフリッカー検知の検知結果を用いても撮像タイミングを調整するためである。被写体の光量変化がもっとも少ないタイミングに合わせて撮像を行うためには、撮影のたびにフリッカー検知を行い最新の検知結果に基づいて撮像タイミングを調整することが好ましい。しかしながら、前回のフリッカー検知の検知結果に基づいて撮像タイミングを調整しても大きな違いはないため、今回のフリッカー検知の検知結果を待たずに２駒目の電子先幕制御を開始することで連続撮影時の駒速を向上させることができる。
【００６６】
（第３の実施形態）
連続撮影時の駒速は、ユーザーの設定や各種撮影条件によって異なる。そこで、本実施形態では、駒速に応じて連続撮影時に動作を効率的に行う実施形態を図７〜９を用いて説明する。なお、本実施形態における撮像装置は第１の実施形態と同様であるため詳細な説明は省略する。
【００６７】
図７、８は、連続撮影の前にフリッカーが検知されている場合の連続撮影時の動作を示す図であり、図９は、ライブビュー画像を表示させている状態で連続撮影を開始した場合の動作を示す図である。
【００６８】
図９に示すフローチャートにおいて図４と同様のステップは同じ番号を付しており、図９のフローチャートは図４のフローチャートと比較してステップＳ４０７とステップＳ４０８の間にステップＳ９０１が存在する。
【００６９】
レリーズボタンが連続してオン状態となっていてフリッカーが生じている場合、ステップＳ４０７の後のステップＳ９０１でマイクロコンピュータ１２３は、許容処理時間がフリッカー検知の検知結果が得られるまでの時間よりも長いか否かを判定する。許容処理時間とは、連続撮影時の駒速に応じて変化する時間であって、マイクロコンピュータ１２３は、駒速が遅いほど許容処理時間を長く設定する。許容処理時間がフリッカー検知の検知結果が得られるまでの時間よりも長ければステップＳ４０８へ移行し、長くなければステップＳ４１１へ移行する。また、マイクロコンピュータ１２３は、フリッカー検知の検知結果が得られるまでの時間を予めＲＯＭに記憶している。
【００７０】
図７に示すように、許容処理時間がフリッカー検知の検知結果が得られるまでの時間よりも長い場合は、フリッカー検知に関わる動作を行ったとしても駒速が低下しないので、フリッカー検知に関わる動作を行う。
【００７１】
一方、許容処理時間がフリッカー検知の検知結果が得られるまでの時間よりも長くない場合は、フリッカー検知に関わる動作を行うと駒速が低下してしまうので、フリッカー検知に関わる動作を行わない。なお、図８では、フリッカー検知用の信号を得るための蓄積も行わないようにしているが、許容処理時間内で完了するのであればフリッカー検知用の信号を得るための蓄積を行ってもよい。また、複数回の蓄積を行う場合に、許容処理時間に応じて蓄積の回数を変更してもよい。このようにすることで、今回の許容時間内にフリッカー検知の検知結果が得られなくても、次回の撮影時に今回のフリッカー検知の検知結果を用いることで連続撮影時の駒速を低下させることなく、撮像タイミングの調整を行うこともできる。
【００７２】
以上のように、駒速が低下しない範囲でフリッカー検知に関わる動作を行うことで、連続撮影時の駒速を低下させることはない。
【００７３】
なお、上記の３つの実施形態では、一眼レフタイプの撮像装置を例にしているが、主ミラー及びファインダ光学系がない、いわゆるミラーレス一眼タイプの撮像装置であってもよい。
【００７４】
また、撮影レンズ着脱可能ではない一体型の撮像装置であってもよい。
【００７５】
以上、本発明の好ましい実施形態について説明したが、本発明はこれらの実施形態に限定されず、その要旨の範囲内で種々の変形及び変更が可能である。
【００７６】
例えば、上記の実施の形態の機能を制御方法として、この制御方法を撮像装置に実行させるようにすればよい。また、上述の実施の形態の機能を有するプログラムを制御プログラムとして、当該制御プログラムを撮像装置が備えるコンピュータに実行させるようにしてもよい。なお、制御プログラムは、例えば、コンピュータに読み取り可能な記録媒体に記録される。
【００７７】
（その他の実施形態）
本発明は、上述の実施形態の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【符号の説明】
【００７８】
１１０  フォーカルプレーンシャッタ
１１２  撮像素子
１２３  マイクロコンピュータ
【図１】
2017216636.tif 000003
【図２】
2017216636.tif 000004
【図３】
2017216636.tif 000005
【図４】
2017216636.tif 000006
【図５】
2017216636.tif 000007
【図６】
2017216636.tif 000008
【図７】
2017216636.tif 000009
【図８】
2017216636.tif 000010
【図９】
2017216636.tif 000011